(57)【特許請求の範囲】
【請求項１】
釣り糸の太さを有する細長い釣り糸と使用するための疑似餌装置であって、前記釣り糸には前記釣り糸太さよりも広い側面方向寸法のブロック部分が具備され、
第１のルアー部品端部及び第２のルアー部品端部、並びに前記第１のルアー部品端部から前記第２のルアー部品端部に伸長する内側ルアー部品通路を有するルアー部品であって、前記ルアー部品がルアーヘッド形成部を含み、前記ルアー部品通路が、前記ブロック部分が前記ルアー部品通路を通過できるように適応された内径を有する、ルアー部品と、
第１のコネクタ端部及び第２のコネクタ端部、並びに前記第１のコネクタ端部から前記第２のコネクタ端部に伸長する中央コネクタ通路を有する細長いルアーコネクタであって、前記コネクタ通路が、前記ブロック部分を遮って前記ブロック部分が前記コネクタ通路を通過するのを妨げるように適応された内径を有する、細長いルアーコネクタと
を含み、
前記ルアーコネクタが、前記第２のコネクタ端部を超えて前記ルアーコネクタに対する第１の方向で前記ルアー部品を通すことによって前記ルアー部品に解放自在に接続可能となるように適応され、これにより前記ルアーコネクタが前記第１のルアー部品端部を介して少なくとも部分的に前記ルアー部品通路の中に伸長し、及びこれにより前記釣り糸が前記コネクタ通路及び前記ルアー部品通路を通って伸長するように配置され、前記ブロック部分が前記第２のルアー部品端部の直近の前記釣り糸の部分に配置されるとき、前記ルアーコネクタ及びルアー部品が、前記ルアーコネクタに対して前記第１の方向と反対の第２の方向で前記ルアー部品を引き出すことによって互いから外すことが可能であり、前記ルアー部品が、前記ブロック部分が前記ルアー部品に対して前記第１の方向で前記ルアー部品通路を通過するように、互いに対して前記ルアー部品及びブロック部分を移動することによって前記釣り糸から取外し可能である、
疑似餌装置。
【請求項２】
前記ルアーコネクタが前記ルアー部品に接続されているときに、前記ルアー部品通路及びコネクタ通路が互いに対して同軸となるように適応された、請求項１に記載の疑似餌装置。
【請求項３】
前記コネクタ通路が、前記ルアー部品通路の内径未満である内径を有する、請求項１又は請求項２に記載の疑似餌装置。
【請求項４】
前記ルアーコネクタが、前記ルアー部品に接続されるときに、前記第１のルアー部品端部から突出するように適応される、前記請求項のいずれか１項に記載の疑似餌装置。
【請求項５】
前記ルアーコネクタが、前記ルアーコネクタを前記ルアー部品通路内で受け入れることができる前記範囲を制限するための停止形成部を含む、請求項４に記載の疑似餌装置。
【請求項６】
前記ルアー部品が、前記ヘッド形成部に関して解放自在に接続可能である少なくとも１つのスカート部品を含む、前記請求項のいずれかに記載の疑似餌装置。
【請求項７】
前記ルアー部品が、前記少なくとも１つのスカート部品の前記解放自在の接続を可能にするために適応されたスカートコネクタを含む、請求項６に記載の疑似餌装置。
【請求項８】
前記ルアー部品が、前記ヘッド形成部から伸長する伸長部分を含み、前記伸長部分が前記スカートコネクタを含む、請求項７に記載の疑似餌装置。
【請求項９】
前記少なくとも１つのスカート部品が、前記伸長部分に解放自在に接続可能である目的で、前記ヘッド形成部に関して解放自在に接続可能である、請求項８に記載の疑似餌装置。
【請求項１０】
前記ヘッド形成部が前記ルアーコネクタに解放自在に接続可能であり、前記伸長部分に解放自在に接続可能である目的で、前記少なくとも１つのスカート部品に解放自在に接続可能である、請求項８又は請求項９に記載の疑似餌装置。
【請求項１１】
前記スカート部品又は各スカート部品がスカート房を含む、請求項６から１０のいずれか１項に記載の疑似餌装置。
【請求項１２】
疑似餌装置と、
釣り糸太さを有する細長い釣り糸であって、前記釣り糸には前記釣り糸太さよりも広い側面方向寸法のブロック部分が具備され、前記疑似餌装置が、
第１のルアー部品端部及び第２のルアー部品端部、並びに前記第１のルアー部品端部から前記第２のルアー部品端部に伸長し、ルアーヘッド形成部を含む内側ルアー部品通路を有するルアー部品であって、前記ルアー部品通路が、前記ブロック部分が前記ルアー部品通路を通過できるように適応された内径を有する、ルアー部品と、
第１のコネクタ端部及び第２のコネクタ端部、並びに前記第１のコネクタ端部から前記第２のコネクタ端部に伸長する中央コネクタ通路を有する細長いルアーコネクタであって、前記コネクタ通路が、前記ブロック部分を遮って前記ブロック部分が前記コネクタ通路を通過するのを妨げるように適応された内径を有する、細長いルアーコネクタと
を含む、細長い釣り糸と
を含む、疑似餌アセンブリであって、
前記ルアーコネクタが、前記ルアーコネクタが前記第１のルアー部品端部を介して少なくとも部分的に前記ルアー部品通路の中に伸長するように、前記第２のコネクタ端部を越えて前記ルアーコネクタに対して第１の方向で前記ルアー部品を通すことによって前記ルアー部品に解放自在に接続可能となるように適応され、
前記釣り糸が前記コネクタ通路及びルアー部品通路を通って伸長するように配置され、前記ブロック部分が前記第２のルアー部品端部の直近の前記釣り糸の部分に配置され、前記ルアーコネクタ及びルアー部品が、前記ルアーコネクタに対して前記第１の方向に反対の第２の方向で前記ルアー部品を引き出すことによって互いから外すことが可能であり、前記ルアー部品が、前記ブロック部分が前記ルアー部品に対して前記第１の方向で前記ルアー部品通路を通過するように互いに対して前記ルアー部品及びブロック部分を移動することによって前記釣り糸から取外し可能である
疑似餌アセンブリ。
【請求項１３】
釣り糸から疑似餌装置の部分を取り外す方法であって、
釣り糸太さを有する釣り糸とともに疑似餌装置を提供することであって、前記釣り糸には前記釣り糸太さよりも広い側面方向寸法のブロック部分が具備され、前記疑似餌装置が第１のルアー部品端部及び第２のルアー部品端部、並びに前記第１のルアー部品端部から前記第２のルアー部品端部に伸長する内側ルアー部品通路を有するルアー部品を含み、前記ルアー部品がルアーヘッド形成部を含み、前記ルアー部品通路が、前記ブロック部分が前記ルアー部品通路を通過できるように適応された内径を有し、前記疑似餌装置が、第１のコネクタ端部及び第２のコネクタ端部、並びに前記第１のコネクタ端部から前記第２のコネクタ端部に伸長する中央コネクタ通路を有する細長いルアーコネクタをさらに含み、前記コネクタ通路が、前記ブロック部分を遮って前記ブロック部分が前記コネクタ通路を通過するのを妨げるように適応された内径を有し、前記ルアーコネクタが、前記ルアーコネクタが前記第１のルアー部品端部を介して少なくとも部分的に前記ルアー部品通路の中に伸長するように、前記第２のコネクタ端部を越えて前記ルアーコネクタに対して第１の方向で前記ルアー部品を通すことによって前記ルアー部品に解放自在に接続され、前記釣り糸が前記コネクタ通路及びルアー部品通路を通って伸長するように配置され、前記ブロック部分が前記第２のルアー部品端部の直近の前記釣り糸の部分に配置される、疑似餌装置を提供することと、
前記ルアーコネクタに対して前記第１の方向に反対の第２の方向で前記ルアー部品を引き出すことによって互いから前記ルアーコネクタ及びルアー部品を外すことと、
前記ブロック部分が前記ルアー部品に対して前記第１の方向で前記ルアー部品通路を通過するように、互いに対して前記ルアー部品及びブロック部分を移動することによって前記釣り糸から前記ルアー部品を取り除くことと
を含む方法。
【請求項１４】
釣り糸とともに疑似餌装置を提供する前記ステップで、前記ルアー部品が前記ヘッド形成部に関して解放自在に接続可能である少なくとも１つのスカート部品を含み、前記方法が、前記ルアー部品の残りに関して前記少なくとも１つのスカート部品を分離することと、前記釣り糸から前記少なくとも１つのスカート部品を取り除くこととを含む、請求項１３に記載の方法。
【請求項１５】
釣り糸太さを有する釣り糸とともに使用するために疑似餌装置を組み立てるために適応された疑似餌装置キットであって、前記釣り糸には前記釣り糸太さよりも広い側面方向寸法のブロック部分が具備され、前記キットが、
各ルアーヘッド形成部が第１のルアー部品端部及び第２のルアー部品端部、並びに前記第１のルアー部品端部から前記第２のルアー部品端部に伸長する内側ルアー部品通路を有するルアー部品の部分を構成する際にそれぞれ使用するためである、複数の選択可能なルアーヘッド形成部であって、前記ルアー部品通路が、前記ブロック部分が前記ルアー部品通路を通過できるように適応された内径を有する、複数の選択可能なルアーヘッド形成部と、
第１のコネクタ端部及び第２のコネクタ端部、並びに前記第１のコネクタ端部から前記第２のコネクタ端部に伸長する中央コネクタ通路を有する細長いルアーコネクタであって、前記コネクタ通路が、前記ブロック部分を遮って前記ブロック部分が前記コネクタ通路を通過するのを妨げるように適応された内径を有する、細長いルアーコネクタと
を含み、
前記ルアーコネクタが、前記ルアーコネクタが前記第１のルアー部品端部を介して少なくとも部分的に前記ルアー部品通路の中に伸長するように前記第２のコネクタ端部を超えて前記ルアーコネクタに対する第１の方向で前記ルアー部品を通すことによって、前記ヘッド形成部が前記ルアー部品の部分である、前記ルアー部品に解放自在に接続可能となるように適応され、これにより、及びこれにより前記釣り糸が前記ルアー部品通路及び前記コネクタ通路を通って伸長するように配置され、前記ブロック部分が前記第２のルアー部品端部の直近の前記釣り糸の部分に配置されるとき、前記ルアーコネクタ及びルアー部品が、前記ルアーコネクタに対して前記第１の方向と反対の第２の方向で前記ルアー部品を引き出すことによって互いから外すことが可能であり、前記ルアー部品が、前記ブロック部分が前記ルアー部品に対して前記第１の方向で前記ルアー部品通路を通過するように、互いに対して前記ルアー部品及びブロック部分を移動することによって前記釣り糸から取外し可能である、
疑似餌装置キット。
【請求項１６】
前記それぞれのヘッド形成部が前記ルアー部品の前記部分を形成するために使用されるときに各それぞれの選択されたヘッド形成部に関してそれぞれ解放自在に接続可能である複数の選択可能なスカート部品を含む、請求項１５に記載の疑似餌装置キット。
【請求項１７】
各スカート部品がスカート房を含む、請求項１６に記載の疑似餌装置キット。
【発明の詳細な説明】
【技術分野】
【０００１】
本発明は、疑似餌装置及びアセンブリに関し、疑似餌装置を使用する方法に関し、疑似餌装置キットに関する。
【背景技術】
【０００２】
疑似餌は長年に亘り釣り人が魚を捕獲するのを支援するために使用されている。特定の魚の性質、魚が惹きつけられる餌食の種類、魚が餌食を求める時刻等を考慮に入れ、魚を捕獲する過程をより成功させる試みで、異なる特性を有するルアーが使用されてきた。
【発明の概要】
【発明が解決しようとする課題】
【０００３】
現代の疑似餌は、通常、ヘッド部品及びスカート部品又は本体部品を含む。ヘッドは、標的とされている魚の種類に応じて、例えば、ルアーを旋回させ、断続的に移動させ、水を通して急速に移動させ、泡を生じさせる等の魚を惹きつけるための所望される効果を達成するためである。多くの場合、係る移動は、求められている魚が多くの場合餌食と見なす海洋生物の種類の動きを模倣するために選択される。
【０００４】
現代のスカート部品又は本体部品は通常、ヘッド部分に接続されるカラー、及びカラーの一端で接続されるゴム管、又は房によって多くの場合形成されるストランドを通常含むスカートを含む。これらのストランド及び房は、多くの場合着色され、色は、標的とされている魚の特性及び性質、気象状態、釣り活動が起こっている時刻等に基づいて選択される。
【０００５】
係る現代のルアーが構成される方法は、通常、釣り糸が結合されたヘッド部品及びスカート部品の中心通路を通って伸長し、釣り糸の端部がスカート部分のカラーの自由な端部を越えて終端し、１つの釣り針（又はおそらく複数の釣り針）が釣り糸のその端部に隣接して固定されることを含む。
【０００６】
通常、釣り糸はルアーの他端、つまり、スカート部品が接合される端部と反対のヘッド部品の端部を越えて伸長する。釣り糸はなんらかの距離その端部から伸長し、釣り糸のその部分は「先糸」として知られている。典型的な先糸の長さの例は２メートルである。
【０００７】
ルアーから遠い釣り糸の先糸部分の端部には通常コネクタが設けられ、先糸はコネクタによって、通常は先糸よりも著しく大きい長さであり、釣り竿のリールに固定される、釣り糸の別の主要な部分上のループに接続される。
【０００８】
魚が捕獲され、釣り竿を使用する際に引き寄せされるとき、競技会の状況では、魚は、釣り人がリーダーラインを掴むことができる範囲まで釣り糸がいったん巻きあげられると、魚は捕獲されたと見なされる。
【０００９】
標的とされている異なる種類の魚、及び環境条件等他の要因に応じて異なるルアーが適切であることが理解される。例えば、異なるルアーは形の異なるヘッド及び異なるスカート／本体特徴を有してよい。
【００１０】
既存の釣り道具での固有の問題は、釣り道具が多くの場合高価である点である。釣り人が、釣り人が捕獲を希望する異なる魚に適することがある十分な範囲のルアーを有することは多くの場合望ましいが、関与する可能性があるヘッド及びスカートの多数の配列を考えると、これは非常に費用のかかる行為である。
【００１１】
さらに、ルアーに代わるために、通常、釣り糸の先糸部分は、そこに取り付けられたルアーとともに、釣り竿に接続されている釣り糸の主要部分から外される必要があり、交換ルアーは、それ自体のそれぞれのリーダーラインとともに、釣り糸の主要部分に接続される必要があるだろう。
【００１２】
異なる釣り状況の下で所望されることがある実質的に有用な数の異なるルアーを釣り人に提供するために、それぞれが係るルアー及びリーダーラインから成る、相対的に多数の異なるユニットが必要とされることがある。これは、異なるルアーに取り付けられるリーダーラインは互いに容易に絡まることがあるので、通常関与する費用とは別に、特に釣り船での空間が限られている場合に問題になることがある。
【００１３】
さらに、特定のルアーをそのリーダーラインとともに釣り竿に取り付けられている主要な釣り糸から外す過程は多大な時間を必要とすることがあり、したがってルアーの迅速な交換が必要とされる状況では理想的ではない。この例は、釣り人が、異なるルアーを必要とする別の種類の望ましい魚の群れが同じ釣り場近傍で見つけられるときにある特定の種類の魚を捕獲しようと試みている場合である。
【００１４】
先行技術の不利な点を克服する若しくは緩和する、又は先行技術に対する有用な代替策を提供することが本発明の目的である。
【課題を解決するための手段】
【００１５】
本発明の第１の態様に従って、釣り糸太さを有する細長い釣り糸とともに使用するための疑似餌装置が提供され、釣り糸には釣り糸太さよりも広い側面方向寸法のブロック部分が具備され、疑似餌装置は、
第１のルアー部品端部及び第２のルアー部品端部、並びに第１のルアー部品端部から第２のルアー部品端部に伸長する内側ルアー部品通路を有するルアー部品であって、ルアー部品はルアーヘッド形成部を含み、ルアー部品通路が、ブロック部分がルアー部品通路を通過できるように適応された内径を有する、ルアー部品と、
第１のコネクタ端部及び第２のコネクタ端部、並びに第１のコネクタ端部から第２のコネクタ端部に伸長する中央コネクタ通路を有する細長いルアーコネクタであって、コネクタ通路が、ブロック部分を遮ってブロック部分がコネクタ通路を通過するのを妨げるように適応された内径を有する、細長いルアーコネクタと
を含み、
ルアーコネクタは、第２のコネクタ端部を越えてルアーコネクタに対して第１の方向でルアーコネクタを通過させることによってルアー部品に解放自在に接続可能となるように適応され、これによりルアーコネクタは第１のルアー部品端部を介して少なくとも部分的にルアー部品通路の中に伸長し、及びこれにより釣り糸がコネクタ通路及びルアー部品通路を通って伸長するように配置され、ブロック部分が第２のルアー部品端部の直近の釣り糸の部分に配置されるとき、ルアーコネクタ及びルアー部品は、ルアーコネクタに対して第１の方向と反対の第２の方向でルアーコネクタを引き出すことにより互いから外すことが可能であり、ルアー部品は、ブロック部分がルアー部品に対して第１の方向でルアー部品通路を通過するように、ルアー部品及びブロック部分を互いに対して移動することによって釣り糸から取外し可能である。
【００１６】
好ましい実施形態では、疑似餌装置は、ルアーコネクタがルアー部品に接続されるときに、ルアー部品通路及びコネクタ通路が互いに対して同軸となるように適応される。
【００１７】
好ましい実施形態では、コネクタ通路は、ルアー部品通路の内径未満である内径を有する。
【００１８】
好ましい実施形態では、ルアーコネクタは、ルアー部品に接続時に、第１のルアー部品端部から突出するように適応される。
【００１９】
次いで、好ましくは、ルアーコネクタは、ルアーコネクタをルアー部品通路中に受け入れることができる範囲を制限するための停止形成部を含む。
【００２０】
好ましい実施形態では、ルアー部品は、ヘッド形成部に関して解放自在に接続可能である少なくとも１つのスカート部品を含む。
【００２１】
次いで、好ましくは、ルアー部品は、少なくとも１つのスカート部品の該解放自在の接続を可能にするために適応されたスカートコネクタを含む。
【００２２】
好ましくは、ルアー部品はヘッド形成部から伸長する伸長部分を含み、伸長部分はスカートコネクタを含む。
【００２３】
好ましくは、少なくとも１つのスカート部品は、伸長部分に解放自在に接続可能な少なくとも１つのスカート部品を介してヘッド形成部に対して解放自在に接続可能である。
【００２４】
好ましい実施形態では、ヘッド形成部はルアーコネクタに解放自在に接続可能であり、伸長部分に解放自在に接続可能であるために、少なくとも１つのスカート部品に解放自在に接続可能である。
【００２５】
好ましくは、該スカート部品又は各スカート部品はスカート房を含む。
【００２６】
本発明の第２の態様に従って、
疑似餌装置と、
釣り糸太さを有する細長い釣り糸であって、釣り糸太さよりも広い側面方向寸法のブロック部分が具備される釣り糸と
を含み、疑似餌装置が、
第１のルアー部品端部及び第２のルアー部品端部、並びに第１のルアー部品端部から第２のルアー部品端部に伸長し、ルアーヘッド形成部を含む内側ルアー部品通路を有するルアー部品であって、ルアー部品通路が、ブロック部分がルアー部品通路を通過できるように適応された内径を有する、ルアー部品と、
第１のコネクタ端部及び第２のコネクタ端部、並びに第１のコネクタ端部から第２のコネクタ端部に伸長する中央コネクタ通路を有する細長いルアーコネクタであって、コネクタ通路が、ブロック部分を遮ってブロック部分がコネクタ通路を通過するのを妨げるように適応された内径を有する、細長いルアーコネクタと
を含み、
ルアーコネクタは、ルアーコネクタが第１のルアー部品端部を介して少なくとも部分的にルアー部品通路の中に伸長するように、第２のコネクタ端部を越えてルアーコネクタに対して第１の方向でルアー部品を通すことによってルアー部品に解放自在に接続可能となるように適応され、
釣り糸がコネクタ通路及びルアー部品通路を通って伸長するように配置され、ブロック部分が第２のルアー部品端部に直近の釣り糸の部分に配置され、ルアーコネクタ及びルアー部品はルアーコネクタに対して第１の方向に反対の第２の方向でルアー部品を引き出すことによって互いから外すことが可能であり、ルアー部品は、ブロック部分がルアー部品に対して第１の方向でルアー部品通路を通過するように、ルアー部品及びブロック部分を互いに対して移動することによって釣り糸から取外し可能である
疑似餌アセンブリが提供される。
【００２７】
本発明の第３の態様に従って、釣り糸から疑似餌装置の部分を取り外す方法が提供され、方法は、
釣り糸太さを有する釣り糸とともに疑似餌装置を提供することであって、釣り糸には釣り糸太さよりも広い側面方向寸法のブロック部分が具備され、疑似餌装置は第１のルアー部品端部及び第２のルアー部品端部、並びに第１のルアー部品端部から第２のルアー部品端部に伸長する内側ルアー部品通路を有するルアー部品を含み、ルアー部品がルアーヘッド形成部を含み、ルアー部品通路が、ブロック部分がルアー部品通路を通過できるように構成された内径を有し、疑似餌装置が第１のコネクタ端部及び第２のコネクタ端部、並びに第１のコネクタ端部から第２のコネクタ端部に伸長する中央コネクタ通路を有する細長いルアーコネクタをさらに含み、コネクタ通路が、ブロック部分を遮ってブロック部分がコネクタ通路を通過するのを妨げるように適応された内径を有し、ルアーコネクタが第１のルアー部品端部を介して少なくとも部分的にルアー部品通路の中に伸長するようにルアー部品に解放自在に接続され、釣り糸がコネクタ通路及びルアー部品通路を通って伸長し、ブロック部分が、第２のルアー部品端部を介してルアー部品通路の中から通過する釣り糸の部分に配置される、疑似餌装置を提供することと、
ルアー部品からルアーコネクタを外すことと、
第２のルアー部品端部から第１のルアー部品端部に向かってルアー部品に対する方向で、ルアー部品通路にブロック部分を通すことによって釣り糸からルアー部品を取り外すことと
を含む。
【００２８】
好ましい実施形態では、釣り糸とともに疑似餌装置を提供するステップで、ルアー部品がヘッド形成部に対して解放自在に接続可能である少なくとも１つのスカート部品を含み、方法はルアー部品の残りに対して少なくとも１つのスカート部品を切断することと、釣り糸から少なくとも１つのスカート部品を取り外すことを含む。
【００２９】
本発明の第４の態様に従って、釣り糸太さを有する釣り糸と使用するために疑似餌装置を組み立てるために適応された疑似餌装置キットが提供され、釣り糸には釣り糸太さよりも広い側面方向寸法のブロック部分が具備され、キットは、
各ルアーヘッド形成部が第１のルアー部品端部及び第２のルアー部品端部、並びに第１のルアー部品端部から第２のルアー部品端部に伸長する内側ルアー部品通路を有するルアー部品の部分を構成する上でのそれぞれの使用のためである複数の選択可能なルアーヘッド形成部であって、ルアー部品通路が、ブロック部分がルアー部品通路を通過できるように適応された内径を有する、複数の選択可能なルアーヘッド形成部と、
第１のコネクタ端部及び第２のコネクタ端部、並びに第１のコネクタ端部から第２のコネクタ端部に伸長する中央コネクタ通路を有する細長いルアーコネクタであって、コネクタ通路が、ブロック部分を遮ってブロック部分がコネクタ通路を通過するのを妨げるように適応された内径を有する、細長いルアーコネクタと
を含み、
ルアーコネクタは、ルアー部品に解放自在に接続可能となるように適応され、該ヘッド形成部が第２のコネクタ端部を越えてルアーコネクタに対して第１の方向でルアー部品を通すことによってルアー部品の部分となり、これによりルアーコネクタが、第１のルアー部品端部を介して少なくとも部分的にルアー部品通路の中に伸長し、及びこれにより釣り糸がルアー部品通路及びコネクタ通路を通して伸長するように配置されて、ブロック部分が第２のルアー部品端部に直近の釣り糸の部分に配置されるとき、ルアーコネクタ及びルアー部品が、ルアーコネクタに対して第１の方向と反対の第２の方向でルアー部品を引き出すことによって互いから外すことが可能であり、ルアー部品が、ブロック部分がルアー部品に対して第１の方向でルアー通路を通過するようにルアー部品及びブロック部品を互いに対して移動することによって釣り糸から取外し可能である。
【００３０】
本発明の好ましい実施形態は、ここで添付図面を参照してほんの一例として説明される。
【図面の簡単な説明】
【００３１】
【図１】本発明の実施形態に係る疑似餌の、部分的に切り取られて示される概略分解図である。
【図２】図１の疑似餌の、部分的に切り取られた概略組立て図である。
【図３】釣り糸及び釣り針とともに、図２に示される疑似餌の部分的に切り取られて示される概略図である。
【図４】図１から図３に示される実施形態とは異なる実施形態に係る疑似餌の部分の部分的に切り取られた概略分解図である。
【図５】図１から図３に示される実施形態とは異なる実施形態に係る疑似餌の部分の部分的に切り取られた概略組立て図である。
【図６】図１から図３並びに図４及び図５に示される実施形態とは異なる実施形態に係る疑似餌の部分的に切り取られて示される概略分解図である。
【図７】図１から図３並びに図４及び図５に示される実施形態とは異なる実施形態に係る疑似餌の部分的に切り取られて示される概略組み立て図である。
【図８】上記図に示される実施形態とは異なる実施形態に係るルアー部品の部分の概略図である。
【図９】上記図に示される実施形態とは異なる実施形態に係るルアー部品の部分の概略図である。
【図１０】上記図に示される実施形態とは異なる実施形態に係るルアー部品の部分の概略図である。
【図１１】上記図に示される実施形態とは異なる実施形態に係るルアー部品の部分の概略図である。
【図１２】上記図に示される実施形態とは異なる実施形態に係るルアー部品の部分の概略図である。
【図１３】上記図に示される実施形態とは異なる実施形態に係るルアー部品の部分の概略図である。
【図１４】上記図に示される実施形態とは異なる実施形態に係るルアー部品の部分の概略図である。
【図１５】上記図に示される実施形態とは異なる実施形態に係るルアー部品の部分の概略図である。
【図１６】上記図に示される実施形態とは異なる実施形態に係るルアー部品の部分の概略図である。
【発明を実施するための形態】
【００３２】
図１から図３を参照すると、本発明の実施形態に係る疑似餌装置１０の分解図が示されている。装置１０は、概して１２と参照されるルアー部品を含み、ルアー部品は、同様にヘッド形成部１４及びシャフト１５の形をした細長い円筒形の伸長部を含むルアーヘッド部品１３を含む。ルアー部品１２は２つのルアースカート部品１６をさらに含む。
【００３３】
従来のルアーの場合でのように、ヘッド形成部１４の形状は釣り活動中の水を通る疑似餌装置１０の移動の所望される特徴に基づいて選択されてよい。
【００３４】
さらに、装置１０は細長いルアーコネクタ１８も含む。
【００３５】
ヘッド形成部１４は、ヘッダ形成部の両端にある開口部２２で外に開く内側通路２０を有する。さらに、ヘッド形成部１４の一端に凹部２４が設けられる。
【００３６】
伸長シャフト１５は、その長さに沿って通る内側管状通路２７及び雄ねじ３０を有する。図１から図３に示される伸長シャフト１５の左端部は、ヘッド形成部１４の示される右開口部２２を介して通路２０の中に受け入れられ、ヘッド部品１３が基本的に１つの部分となるようにヘッド形成部からの伸長シャフトの取外しを妨げるために適切な接着剤で定位置に接着されるように適応される。
【００３７】
伸長シャフト１５が図２に示されるようにこのようにヘッド形成部１４に接続されるとき、雄ねじ３０を有するシャフトの部分の一部分がヘッド形成部から突出する。
【００３８】
各スカート部品１６はカラー３４及び天然ゴム又は類似した合成材料製であってよいいくつかの可撓ストランドから成るスカート３６を含み、例えば（図３には示されるが、図１又は図２には示されない）中空管の形状であってよい。
【００３９】
スカート３６は、例えば適切な接着剤によってカラーの外周の回りでカラーに接合される。図３にはスカート３６の４つのストランドしか示されていないが、ストランドの実際の数はスカート構成で配置されている数よりも著しく多い。
各カラー３４はカラーを通って伸長する通路３８を有し、通路は、伸長シャフト１５上の雄ねじ３０に相補的である雌ねじ４０（図２を参照すること）を有する。
【００４０】
コネクタ１８は、第１の端部４４及び第２の端部４６を有する管部分４２を含む。中央通路４８は管部分４２の全長、伸長し、それぞれ端部４４及び４６の開口部５０及び５２で外に開く。
【００４１】
管部分４２の長さに沿って位置決めされるのは、台座表面５６、及び台座表面に隣接して雄ねじ５８を有する放射状に外向きに広がるカラー５４である。
【００４２】
ヘッド形成部１４の内側通路２０には、コネクタ１８のねじ山５８に相補的である、ねじ山６０が具備される。
【００４３】
装置１０が図２に示されるように組み立てられるとき、伸長シャフト１５は、上述されたように、部分的にヘッド形成部１４の中に収容され、ヘッド形成部１４に固定され、これらの部分はともにはヘッド部品１３を構成する。
【００４４】
スカート部品１６は、カラー３４が伸長シャフトの上にねじ留めされることによって伸長シャフト１５に固定され、これによりカラーのねじ山４０は伸長シャフトのねじ山３０と係合する。
【００４５】
図２に示される左側スカート部品１６のカラー３４は凹部２４の中に部分的に収容され、他のスカート部品のカラーは第１の言及されたカラーに当接する。
【００４６】
スカート部品１６がこのようにして並置された状態で、示されるように右側スカート部品１６のスカート３６の小さい部分は他方のスカート部品のスカートの中に収容される、又は他方のスカート部品のスカートによって囲まれる。
【００４７】
さらに、コネクタ１８は、ねじ山５８がヘッド形成部のねじ山６０と係合するように、ヘッド形成部１４に固定され、管部分の部分は示されるように伸長シャフト１５の内側管状通路２７の中で伸長する。
【００４８】
カラー５４の台座表面５６は、台座表面５６が、示されるようにヘッド形成部の左側先端と係合するのでヘッド形成部１４の中にコネクタ１８をねじ込むことができる範囲を制限する。
【００４９】
上述された部品のすべては、図１から図３で（つまり、左から右に又はその逆で見られるときの方向で）丸い断面となる。
【００５０】
装置１０は、図３の破線で示されるように、釣り糸７０と併せて使用できる。釣り糸７０は、ループ７４が設けられる自由端部７２を有する。別の実施形態では、ループ７４の代わりに、ループコネクタがあってよい。
【００５１】
図３の破線でも示される釣り針７６は、解放自在のコネクタ７８によってループ７４に固定される。
【００５２】
釣り針７６及びコネクタ７８は、当業者によって理解されるように標準的な部品である。
【００５３】
ループ７４は、適切な接続用部品７５によってそのループ構成で保持される。
【００５４】
端部７２にとって反対の釣り糸７０の端部（不図示）は、釣り竿（やはり不図示）のリールに適切に接続できる。
【００５５】
装置１０が図２及び図３に示されるその組立てられた状態にあり、図３に示されるように釣り針７６を有する釣り糸７０に置かれるとき、装置は当業者により理解されるように従来の釣り活動に使用できる。
【００５６】
ヘッド形成部１４を別のヘッド形成部と交換する、若しくはスカート部品１６のどちらかを別のスカート部品と交換することが所望される場合、又は係る交換品の組合せを行うことが所望される場合、次いでこれは以下に説明される方法で行うことができる。
【００５７】
第１に、釣り針７６は、ループ７４からコネクタ７８を分離することによって釣り糸７０から外される必要がある。
【００５８】
ヘッド部品１３は、コネクタのねじ山５８がヘッド形成部１４のねじ山６０から解放されるようにコネクタ１８に対して回転できる。
【００５９】
（図３に示されるように垂直の寸法である）ループ７４の側面方向のサイズはルアーコネクタ１８の中央通路４８の幅（直径）よりも大きいが、好ましい実施形態では、伸長シャフト１５の通路２７及びヘッド形成部１４の通路２０の幅（直径）未満であり、したがってスカート部品１６の通路３８の幅未満でもある。
【００６０】
結果的に、いったんコネクタ１８が上述されたようにヘッド部品１３から外されると、コネクタは、釣り糸７０及びループ７４とともにヘッド部品及びスカート部品１６から分離できる。
【００６１】
この過程では、コネクタ１８がヘッド形成部１４の通路２０から引き出されるにつれ、釣り糸７０及びループ７４も、伸長シャフト１５の通路２７を通して、スカート１６の通路３８を通して、及びヘッド形成部の通路２０を通して引き出すこともでき、それによってコネクタ１８及びルアー部品１２を互いから分離できる。
【００６２】
たとえループ７４の側面方向サイズが通路２７の幅よりも大きくても、ループは非常にわずかにより大きいので、ループはわずかな変形を受けることによって通路を通って依然として引き出すことができる。
【００６３】
他方、ループ７４の幅はコネクタ１８の通路４８の幅（直径）よりも十分に大きいので、ループ７４はその通路を通って容易に引き出すことはできない。したがって、切り枝７４は釣り糸７０のブロック部分として役立つ。これは、組立てられたときに、釣り糸７０に疑似餌装置１０を保持し、コネクタがヘッド部品１３から外されるときに釣り糸にコネクタ１８を保持するために役立つ。
【００６４】
スカート部品１６は、スカート部品のねじ山４０が伸長シャフトのねじ山３０から解放されるように、伸長シャフト１５からスカート部品を単にねじを回して外すことによってヘッド部品１３から独立して外すことができる。上記に示されるように、スカート部品１６の通路３８の直径はループ７４の側面方向サイズよりも大きく、これによりループは、スカート部品がヘッド部品１３から引き出されるにつれてスカート部品を通過できる。
【００６５】
ヘッド部品１３、又はスカート部品１６のどちらか、又は組み合わせられたこれらの部品のどれかは、例えば異なるサイズ又は形状、したがって水中での移動特徴を有する他のヘッド部品、異なる色、形状を有する他のスカート部品等、同じタイプの他の望ましい部品で置換できる。
【００６６】
図４及び図５並びに図６及び図７では、図１から図３の形状と異なる形状の疑似餌装置１０が示されている。これらの図では、図１から図３の部分に対応する部分はそれらの図においてと同じ参照番号を有する。これらの図では、図１から図３のヘッド形成部とは異なり、ヘッド形成部１４は丸い断面ではなく、当業者により理解されるように水中で異なる移動特徴を達成するために形成される。
【００６７】
図８から図１６では、さらなる異なる実施形態に係るルアー部品１２の部分が示される。これらの図では、図１から図３の部分に相当する部分がそれらの図においてと同じ参照番号を有する。
【００６８】
図８では、ヘッド形成部１４及び伸長シャフト１５の側面図が示され、これらの部品は上述の実施形態のヘッド形成部及び伸長シャフトとは異なり互いに一体的に接合されている。図８のヘッド形成部１４は、技術で既知であるように斜めカップ面及び斜め面ヘッド形成部と呼ばれることがある形状である。
【００６９】
図９及び図１０のそれぞれの側面図として示されるヘッド形成部１４及び伸長シャフト１５も、図８の実施形態の場合でのように一体的に接合される。図９の実施形態のヘッド形成部１４は（技術で既知であるように、弾丸ヘッドとも呼ばれることがある）弾丸形状のヘッドである。一方、図１０のヘッド形成部は、技術で既知であるようにプッシャヘッドと呼ばれることがある形状である。
【００７０】
図１１では、ねじが切られた中央通路８２を有する管栓８０の側面図が示される。管栓８０は、例えば図８から図１０のヘッド形成部１５及び伸長シャフト１５の組合せのいずれかと併せて使用されてよい。通路８２は、それらの図の実施形態の伸長シャフト１５を受け入れるような寸法で作られ、通路のねじ山はこれらの図の実施形態のねじ山に相補的である。管栓８０は、水を通るルアー部品１２の望ましい移動特徴を達成するために使用されてよい。
【００７１】
図１２では、（技術ではドレッジャヘッドとしても知られる）ドレッジャヘッド形成部１４及びドレッジャアーム８４の側面分解図が示される。１つのドレッジャアーム８４だけしか示されていないが、ドレッジャヘッド形成部１４は複数のドレッジャアームとの使用のために適応される。
【００７２】
各ドレッジャアーム８４はねじを切られたねじ端部８６を有し、アームの長さに沿ってほぼ中ほどに位置決めされた取付けループ８８及びねじを切られた端部の反対のアームの端部に追加の取付けループ９０を備えられる。
【００７３】
図１２のドレッジャヘッド形成部１４には、ヘッド形成部の回りに周囲に配置された複数のねじ穴９２が具備され、これらの穴にはアームのねじを切られた端部８６のねじ山に相補的であるねじ山（不図示）が具備される。したがって、アーム８４のねじを切られた端部８６を穴９２の中にねじ込んで、ドレッジャヘッド形成部１４にドレッジャアーム８４を取り付けることができる。
【００７４】
取付けループ８８、９０は、釣りのデコイ等（不図示）の取付けを可能にするためであり、これによりドレッジャヘッド形成部１４及び複数の取り付けられたドレッジャアーム８４が水を通って引っ張られるとき、アームは密集した群れで泳ぐ魚の外観を真似て、係る魚の群れを魅力的な餌食として見なす可能性がある他の魚を捕獲するのを支援してよい。
【００７５】
図１３では、上述の実施形態とは異なり、単一の統合ユニットとして形成されるヘッド形成部１４及びスカート部品１６の側面図が示される。図１３のこの結合されたヘッド形成部１４及びスカート部品１６は、図１から図７に関して説明されるように別々の構成部品の代わりに使用されてよい。
【００７６】
図１４では、釣り針９４とともに、ポッパーヘッドとして技術で知られているヘッド形成部１４の斜視図が示される。図１４のポッパーヘッド形成部１４は、伸長シャフト１５なしで、及びスカート部品１６又はスカート３６なしで使用できる。ポッパーヘッド形成部１４は凹んだ凹部９８を有する先端９６を有し、水面に浮かぶように適応されるために実質的に中空である又はそれ以外の場合低重量である。図１４のポッパーヘッド形成部１４の形状は例えば、ヘッド形成部が水に沿って引かれるときに、ヘッド形成部が急に動き回る又は跳ね返るのを支援する、及び魚を魅了するために乱流及び泡を生じさせるのを支援するためである。
【００７７】
図１４のポッパーヘッド形成部１４には釣り針９４が具備されるとして示されているが、ポッパーヘッド形成部１４には上記図１から図７に関して上述された方法と同様の方法で、釣り糸７０に取り付けられた追加の釣り針７６（釣り針７６及び釣り糸は図１４で図示されていない）が具備されてよい。この場合、追加の釣り針７６が固定されるループ７４は、先端９６の反対のポッパーヘッド形成部１４の端部１００から伸長する釣り糸の部分に形成される。
【００７８】
図１５では、例えば図８から図１０、図１２、又は図１４のヘッド形成部１４及び伸長シャフト１５の組合せと併せて使用されてよい釣り針クリップ１０２及び釣り針１０４が示される。釣り針クリップ１０２は伸長シャフト１５が通過するのを可能にする中央通路１０６、及び関連するヘッド形成部の凹部２４に受け入れられるように適応された前方に伸長する突出部１０８を有する。
【００７９】
例えば、図１１に示される管栓８０が伸長シャフト１５にそれをねじ込むことによって関連するヘッド形成部１４に取り付けられる場合、伸長シャフトは、管栓８０が、釣り針クリップがヘッド形成部と管栓との間でとらわれるように伸長シャフトの上にねじ込まれる前に、釣り針クリップ１０２の中央通路１０６を通すことができる。
【００８０】
この場合、図１４のポッパーヘッド形成部１４においてのように、追加の釣り針７６も使用され、ヘッド形成部の通路２０及び管栓８０の通路８２を通過する釣り糸７０に固定されてもよい。
【００８１】
図１６では、弾丸カメラプラグとして技術でも知られるカメラ１１０が示され、これは例えば図８に示される弾丸ヘッド形成部１４の伸長シャフト１５に取り付けられて示される。弾丸カメラプラグ１１０は、伸長シャフトを受け入れ、伸長シャフトに取り付けられるために伸長シャフト１５に相補的であるねじを切られた通路（不図示）を備える。
【００８２】
概して、弾丸カメラプラグ１１０は、釣りのためよりむしろ、水中の活動、特に密接して泳ぐ魚を撮影するために使用される。ただし、弾丸カメラプラグは、水中活動を撮影するためだけではなく魚を捕獲するためにも上述された方法で釣り針クリップ１０２と併せて使用されてよい。
【００８３】
また、装置１０は、キット形式でも提供できる。好ましい実施形態によると、係るキットは、ルアー部品１８、及び互いに異なる外観を有する複数のスカート部品１６（例えば、水中で異なる移動特徴を提供するために、異なるように着色されたスカート３６、及び異なる外側視覚パターン及び／又は異なる色の、及び／又は異なる形状のヘッド形成部１４を有する複数のルアーヘッド部品１３）を含む。また、キットは図８から図１６に示されるタイプの部品を含んでもよい。
【００８４】
したがって、釣り人がヘッド形成部１４及びスカート部品１６の特定の組合せで組み立てられた疑似餌装置１０で釣りをしている場合、並びに釣り人が別のヘッド形成部又はスカート部品を使用するために部品を交換することを希望する場合、既存のヘッド形成部及び／又はスカート部品はルアーコネクタから外し、上述したように、キットで利用可能な別の望ましいヘッド形成部及び／又はスカート部品によって交換できる。このようにした部品の交換は、いったん伸長シャフト１５及びコネクタ１８が互いから外されると、ヘッド部品１３及びスカート部品１６のそれぞれが互いから別個に（独立して）取外し可能である旨の事実によって可能にされる。
【００８５】
係る変更は、以前に求められた魚と別のタイプの魚を捕獲する、又は変化する気象状態若しくは光の状態を考慮に入れる等の決定が下されるとき等、釣り戦術の変化が必要とされるときに望ましいことがある。
【００８６】
これは、互いに係る異なる外観又は特徴を有する複数の異なる事前に組み立てられた又は事前に構成された疑似餌を有する必要性を回避する上で役立つことがある。
【００８７】
本発明は好ましい実施形態に関して上述されるが、本発明がそれらの実施形態に制限されるのではなく、多くの他の形式で実施され得ることが当業者によって理解される。
【図１】
0006639486.tif 000002
【図２】
0006639486.tif 000003
【図３】
0006639486.tif 000004
【図４】
0006639486.tif 000005
【図５】
0006639486.tif 000006
【図６】
0006639486.tif 000007
【図７】
0006639486.tif 000008
【図８】
0006639486.tif 000009
【図９】
0006639486.tif 000010
【図１０】
0006639486.tif 000011
【図１１】
0006639486.tif 000012
【図１２】
0006639486.tif 000013
【図１３】
0006639486.tif 000014
【図１４】
0006639486.tif 000015
【図１５】
0006639486.tif 000016
【図１６】
0006639486.tif 000017